(57)【要約】【課題】カバー部材の内周側と雌体の外周面との間に異物が侵入することを抑制することができる管継手を得る。【解決手段】管継手１０は、筒状の雄体１２と、雄体１２が挿入される開口部３６が形成された筒状の雌体３２と、雄体１２の外面の凹部２０と雌体３２の内面の小径溝５２Ａとに係止される弾性係止リング体５４と、を備えている。雄体１２の外面と雌体３２の内面との間に解放リング５８が介挿されており、解放リング５８が弾性係止リング体５４を凹部２０と小径溝５２Ａとの係止位置から押し出す。解放リング５８を覆うように環状カバー３４が配置されており、環状カバー３４の内周面側には雌体３２との間にスプリング５６が設けられている。環状カバー３４は、軸方向の中間部に軸方向に沿って伸縮可能な変形部６０を備えており、軸方向の一端部６２が雌体３２に圧着され、かつ軸方向の他端部６４が雄体１２に圧着されている。【選択図】図１
2014159860.tif 000002
【特許請求の範囲】
【請求項１】
筒状の雄体と、
前記雄体が挿入される開口部が形成された筒状の雌体と、
前記雄体の外面に形成された凹部と前記雌体の内面に形成された溝部とに係止される止め輪と、
前記雌体の内面側に軸方向に移動可能に配置され、前記止め輪を前記凹部と前記溝部との係止位置から押し出す取り外し部材と、
前記取り外し部材を覆うと共に前記取り外し部材を軸方向に移動させるように配置され、軸方向の中間部に軸方向に沿って伸縮可能な変形部を備え、軸方向の一端部が前記雌体に係合又は圧着され、かつ軸方向の他端部が前記雄体に圧着される環状のカバー部材と、
前記カバー部材の内周側における前記雌体と前記カバー部材との間に設けられ、前記カバー部材を前記雌体の先端側に付勢する付勢部材と、
を有する管継手。
【請求項２】
前記変形部が、蛇腹構造とされている請求項１に記載の管継手。
【請求項３】
前記変形部がばね性を備え、
前記変形部が圧縮された状態で、前記一端部が前記雌体の周方向に形成された凸部に圧着され、前記他端部が前記雄体の周方向に形成された突出部に圧着されている請求項１又は請求項２に記載の管継手。
【請求項４】
前記一端部の周方向に形成された係合部が前記雌体の周方向に形成された被係合部に係合されている請求項１又は請求項２に記載の管継手。
【発明の詳細な説明】
【技術分野】
【０００１】
本発明は、管継手に関する。
【背景技術】
【０００２】
従来から、一方の配管と他方の配管を組み付ける際に管継手を用いて接続を行っている。
【０００３】
下記特許文献１には、管体と、この管体が差し込まれる筒状の雌体と、を備えた管継手が開示されている。この管継手は、雌体の内周側に配置されて管体外周の周溝に嵌まる押圧部材を支持する内カラーと、雌体に固着されて内カラーを覆う外カラーと、外カラーに摺動可能に取り付けられ一端に内カラーの端部と接触するフランジが形成されたスリーブと、を備えている。そして、スリーブのフランジを押して内カラーを雌体側に移動させることで、押圧部材が管体外周の周溝から抜け出し、管体を管継手から離脱させることが可能となっている。
【先行技術文献】
【特許文献】
【０００４】
【特許文献１】特開２０００−２８３３６６号公報
【発明の概要】
【発明が解決しようとする課題】
【０００５】
しかし、上記特許文献１に記載の管継手では、外カラーに摺動可能にスリーブが取り付けられており、スリーブの軸方向の端部と外カラーの外周面との間に隙間が形成されている。このため、例えば、スリーブの端部と外カラーの外周面との隙間を上向きに取り付けた場合などに、スリーブの端部と外カラーの外周面との隙間から砂ほこり等の異物が侵入する可能性がある。これにより、スリーブの内周側と内カラーの外周面との空間内に砂ほこり、粉塵等の異物が詰まり、スリーブの外カラーに対する摺動が妨げられる可能性がある。
【０００６】
本発明は、上記問題点に鑑みてなされたものであり、カバー部材の内周側と雌体の外周面との間に異物が侵入することを抑制することができる管継手を提供することを目的とする。
【課題を解決するための手段】
【０００７】
上記問題点を解決するために、請求項１に記載の発明に係る管継手は、筒状の雄体と、前記雄体が挿入される開口部が形成された筒状の雌体と、前記雄体の外面に形成された凹部と前記雌体の内面に形成された溝部とに係止される止め輪と、前記雌体の内面側に軸方向に移動可能に配置され、前記止め輪を前記凹部と前記溝部との係止位置から押し出す取り外し部材と、前記取り外し部材を覆うと共に前記取り外し部材を軸方向に移動させるように配置され、軸方向の中間部に軸方向に沿って伸縮可能な変形部を備え、軸方向の一端部が前記雌体に係合又は圧着され、かつ軸方向の他端部が前記雄体に圧着される環状のカバー部材と、前記カバー部材の内周側における前記雌体と前記カバー部材との間に設けられ、前記カバー部材を前記雌体の先端側に付勢する付勢部材と、を有する。
【０００８】
請求項１に記載の発明によれば、筒状の雄体が筒状の雌体の開口部に挿入され、雄体の外面に形成された凹部と雌体の内面に形成された溝部とに止め輪が係止されることで、雄体と雌体とが結合される。雌体の内面側には、取り外し部材が軸方向に移動可能に配置されており、取り外し部材を覆うと共に取り外し部材を軸方向に移動させる環状のカバー部材が配置されている。カバー部材の内周側における雌体とカバー部材との間に付勢部材が設けられており、付勢部材がカバー部材を雌体の先端側に付勢している。カバー部材は、軸方向の中間部に軸方向に沿って伸縮可能な変形部を備えており、カバー部材の軸方向の一端部が雌体に係合又は圧着され、カバー部材の軸方向の他端部が雄体に圧着されている。すなわち、カバー部材の軸方向の一端部が雌体に係合又は圧着されることで、カバー部材の軸方向の一端部と雌体との間から砂ほこり、粉塵等の異物が侵入することが抑制され、カバー部材の軸方向の他端部が雄体に圧着されることで、カバー部材の軸方向の他端部と雄体との間から砂ほこり等の異物が侵入することが抑制される。このため、カバー部材の内周側と雌体の外周面との間に異物が詰まることが抑制され、異物により取り外し部材の移動を妨げることが抑制される。これにより、カバー部材の変形部を圧縮させてカバー部材を押し、カバー部材が取り外し部材を軸方向に移動させることで、止め輪を凹部と溝部との係止位置から押し出して雄体と雌体との結合を解除することができる。
【０００９】
請求項２に記載の発明は、請求項１に記載の管継手において、前記変形部が、蛇腹構造とされている。
【００１０】
請求項２に記載の発明によれば、変形部が、蛇腹構造とされており、変形部を軸方向に沿って伸縮させることができる。
【００１１】
請求項３に記載の発明は、請求項１又は請求項２に記載の管継手において、前記変形部がばね性を備え、前記変形部が圧縮された状態で、前記一端部が前記雌体の周方向に形成された凸部に圧着され、前記他端部が前記雄体の周方向に形成された突出部に圧着されている。
【００１２】
請求項３に記載の発明によれば、変形部がばね性を備え、変形部が圧縮された状態で、カバー部材の軸方向の一端部が雌体の周方向に形成された凸部に圧着され、カバー部材の軸方向の他端部が雄体の周方向に形成された突出部に圧着されている。これにより、カバー部材の軸方向の一端部と雌体の凸部との間、及びカバー部材の軸方向の他端部と雄体の突出部との間から砂ほこり、粉塵等の異物が侵入することをより確実に抑制することができる。
【００１３】
請求項４に記載の発明は、請求項１又は請求項２に記載の管継手において、前記一端部の周方向に形成された係合部が前記雌体の周方向に形成された被係合部に係合されている。
【００１４】
請求項４に記載の発明によれば、カバー部材の軸方向の一端部の周方向に形成された係合部が雌体の周方向に形成された被係合部に係合されている。これにより、カバー部材の係合部と雌体の被係合部との間から砂ほこり、粉塵等の異物が侵入することをより確実に抑制することができる。
【発明の効果】
【００１５】
本願発明によれば、カバー部材の内周側と雌体の外周面との間に異物が侵入することを抑制することができる。
【図面の簡単な説明】
【００１６】
【図１】本発明の第１実施形態に係る管継手を示す断面図である。
【図２−１】図１に示す管継手のカバー部材を押して解放リングを移動させた状態を示す断面図である。
【図２−２】図１に示す管継手から雄体を離脱させた状態を示す断面図である。
【図３】本発明の第２実施形態に係る管継手を示す断面図である。
【図４】図３に示す管継手のカバー部材を押して解放リングを移動させた状態を示す断面図である。
【図５】比較例に係る管継手を示す半裁断面図である。
【図６】図５に示す管継手において、カバー部材の内周側と雌体との間に砂ほこり等の異物が侵入した状態を模式的に示した断面図である。
【発明を実施するための形態】
【００１７】
以下、本発明の実施の形態を図面に基づいて説明する。
【００１８】
図１には、本発明の第１実施形態である管継手１０であって、雄体と雌体との結合状態が断面図にて示されている。図２−２には、管継手１０から雄体が離脱された状態が断面図にて示されている。図１及び図２−２に示されるように、管継手１０は、略円筒状の雄体１２と、この雄体１２が挿入される略円筒状の雌体３２と、を備えている。
【００１９】
図２−２等に示されるように、雄体１２は、軸方向の一端側が小径となっており、先端から第一円筒部１４と、この第一円筒部１４とテーパ面１５を介して連続すると共に第一円筒部１４より大きな外径を持つ第二円筒部１６と、を備えている。第二円筒部１６の外周面には、雌体３２に設けられた止め輪としての弾性係止リング体５４が係止可能な環状の凹部２０が設けられている。この凹部２０は、軸方向に沿った断面が台形状に形成されている。雄体１２の芯部には、流体が流れる円形状の流路部２２が設けられている。
【００２０】
雄体１２の軸方向の中間部には、半径方向外側に突出した突出部２４が形成されている。突出部２４は、雄体１２の外周面に周方向に沿って形成されている。雄体１２の軸方向の他端側の外周面には、他の配管（図示省略）が接続される雄ねじ部２６が形成されている。突出部２４は、軸方向視で外形が略六角形状に形成されており、他の配管（図示省略）が雄ねじ部２６に螺合されるときにスパナを掛けることができる。
【００２１】
管継手１０は、雌体３２の先端部側に外挿されるカバー部材としての環状カバー３４を備えている。雌体３２は、雄体１２が挿入される開口部３６を備えており、開口部３６の先端側から奥側に向かって内径が段階的に小径となるように形成されている。雌体３２の開口部３６には、開口部３６の奥側から雄体１２の第一円筒部１４に対応する第一内壁面３８と、雄体１２の第二円筒部１６に対応する第二内壁面４０と、取り外し部材としての解放リング５８が挿入される第三内壁面４２と、を備えている。すなわち、雌体３２は、第三内壁面４２、第二内壁面４０、第一内壁面３８の順で内径が小径となるように形成されている。雌体３２の第一内壁面３８には、ゴム製のＯリング４４が嵌入される溝部４６が形成されている。雌体３２の第一内壁面３８の奥側の芯部には、流体が流れる円形状の流路部４８が設けられている。
【００２２】
雌体３２の開口部３６と反対側には、ホースなどの管体が接続される接続部７０が形成されている。接続部７０には、ホースなどの管体が外挿され、図示しない外周面側から外装部材を加締めることで、管体が接続部７０に接続されるようになっている。
【００２３】
雌体３２の第三内壁面４２と第二内壁面４０の間には環状溝５２が形成されている。環状溝５２は、開口部３６の入口側に形成された溝部としての小径溝５２Ａと、この小径溝５２Ａに隣接する奥側の大径溝５２Ｂとの二段溝で構成されており、小径溝５２Ａに弾性係止リング体５４が係止されている。弾性係止リング体５４は、開口部３６への雄体１２の挿入時又は引き抜き時に環状溝５２の大径溝５２Ｂ側に退避可能となっている。
【００２４】
管継手１０には、環状カバー３４の内周面に形成された段部３４Ａと雌体３２の外周面に形成された段部３２Ａとの間に、付勢部材としてのスプリング５６が介挿されている。環状カバー３４は、スプリング５６により雌体３２の先端側（開口部３６側）に付勢されるようになっている。環状カバー３４は、軸方向の中間部に軸方向に沿って伸縮可能な変形部６０を備えている。変形部６０は、スプリング５６よりも半径方向外側に配置されている。変形部６０は、蛇腹構造とされており。周方向に沿って形成された薄肉の複数の蛇腹形状部が軸方向にほぼ等間隔で配置されている。変形部６０は、複数の蛇腹形状部によりばね性を備えている。本実施形態では、環状カバー３４は樹脂製であり、変形部６０は弾性変形により軸方向に伸縮が可能となっている。
【００２５】
雌体３２の外周面には、段部３２Ａより軸方向奥側に、半径方向外側に突出する凸部３２Ｂが形成されている。凸部３２Ｂは、雌体３２の周方向に沿って形成されている。環状カバー３４の軸方向の一端部６２の端面は、変形部６０のばね性により凸部３２Ｂの側面に接触するように配置されている。環状カバー３４の軸方向の他端部６４側は、雌体３２の第三内壁面４２の内側に挿入された解放リング５８を覆うように配置されている。環状カバー３４の軸方向の他端部６４には、半径方向内側に突出する突部６４Ａが形成されており、突部６４Ａが解放リング５８に当接し、解放リング５８を軸方向奥側に移動させるようになっている。
【００２６】
また、環状カバー３４の軸方向の一端部６２に半径方向内側に突出する突起部を形成することで、雌体３２の半径方向内側に窪んだ段部に環状カバー３４の突起部が当たり、環状カバー３４の雌体３２からの抜け止めとなるように構成してもよい。
【００２７】
解放リング５８は、環状部材からなり、軸方向に沿った断面が略Ｌ字状に形成され、先端側が環状カバー３４の突部６４Ａの奥側壁面に当接可能となっている。解放リング５８は、雌体３２の軸方向に移動可能であり、解放リング５８を雌体３２の奥側に移動したときに、解放リング５８の奥側端部が弾性係止リング体５４を押すように構成されている。解放リング５８は、例えば金属で形成されている。環状カバー３４の外周面には、軸方向にほぼ等間隔に複数の環状突起部３４Ｂが形成されており、環状カバー３４の外周面を把持して軸方向に移動させるときに、複数の環状突起部３４Ｂにより環状カバー３４のすべりを抑制するようになっている。
【００２８】
図１に示されるように、雄体１２と雌体３２との結合時には、図２−２に示す管継手１０からの雄体１２の離脱時に変形部６０が伸びた量に比べて、変形部６０が軸方向に少し圧縮されている。すなわち、雄体１２と雌体３２との結合時には、変形部６０が軸方向に圧縮された状態で、変形部６０のばね力により環状カバー３４の軸方向の一端部６２の端面が、雌体３２の周方向に形成された凸部３２Ｂの側面に圧着されている。これと同時に、環状カバー３４の軸方向の他端部６４の端縁が雄体１２の周方向の突出部２４の側面に圧着されている。
なお、本実施形態では、雄体１２と雌体３２との結合時に、スプリング５６は雄体１２と雌体３２との離脱時に比べてほとんど圧縮されない構成とされているが、スプリング５６が若干圧縮される構成としてもよい。これにより、環状カバー３４の軸方向の一端部６２の端面と凸部３２Ｂとの密着性を増し、環状カバー３４の軸方向の他端部６４の端縁と突出部２４との密着性を増すことができる。
【００２９】
雄体１２と雌体３２との結合時には、環状カバー３４の軸方向の一端部６２の端面が、雌体３２の凸部３２Ｂの側面に圧着（密着）されていることで、環状カバー３４の軸方向の一端部６２と雌体３２の凸部３２Ｂとの間から砂ほこり、粉塵等の異物が侵入することが抑制されるようになっている。また、環状カバー３４の軸方向の他端部６４の端縁が雄体１２の突出部２４に圧着（密着）されていることで、環状カバー３４の軸方向の他端部６４と雄体１２の突出部２４との間から砂ほこり、粉塵等の異物が侵入することが抑制されるようになっている。
【００３０】
弾性係止リング体５４は、周方向と直交する方向の断面が円形に形成された金属製の環状部材であり、環状部材の一部を切除することによって隙間（図示省略）が形成されている。弾性係止リング体５４は、フリーの状態から隙間をうめる方向に変形することにより縮径し、また、フリーの状態から隙間を拡大する方向に変形することにより拡径が可能となっている。
【００３１】
雌体３２と雄体１２の材料としては、鋼材などの金属が用いられている。本実施形態の管継手１０は、例えば、自動車、船舶などに用いられる油圧配管用の管継手である。なお、管継手１０は、油圧配管用に限定されるものではなく、他の流体（液体、気体）に使用することも可能である。
【００３２】
次に、管継手１０の作用について説明する。
【００３３】
図２−２に示されるように、管継手１０の雄体１２と雌体３２を結合する際には、雄体１２の先端部（第一円筒部１４側）を雌体３２の開口部３６に差し込んでゆく。雄体１２を開口部３６の奥側へさらに差し込むと、雄体１２の第一円筒部１４の奥側のテーパ面１５が弾性係止リング体５４に当たり、弾性係止リング体５４が環状溝５２の大径溝５２Ｂに押し込まれる。更に雄体１２を差し込むと、第一円筒部１４の奥側のテーパ面１５により弾性係止リング体５４が環状溝５２の大径溝５２Ｂの中で拡径してゆく。
【００３４】
雄体１２を差し込んだときに、雄体１２の凹部２０より先端側の第二円筒部１６が環状溝５２を通過すると、弾性係止リング体５４は自身の弾性力により元の径に縮径し、雄体１２の凹部２０と雌体３２の環状溝５２の中に納まり、雄体１２と雌体３２との連結が終了する。この状態で、流路部２２、４８に流体を流すと、圧力の上昇により雄体１２に挿入方向と反対側に移動する力が働く。これによって、図１に示されるように、弾性係止リング体５４は雌体３２の環状溝５２の小径溝５２Ａに収まり、弾性係止リング体５４が小径溝５２Ａと雄体１２の凹部２０とに接触する（係止される）ことによって、管継手１０の結合状態が保持される。その際、Ｏリング４４が雄体１２の第一円筒部１４の周面に接触しており、流路部２２、４８を流れる流体（本実施形態では油）のシール性が確保される。
【００３５】
この管継手１０では、環状カバー３４の変形部６０がばね性を有している。このため、図１に示されるように、雄体１２と雌体３２との結合時には、変形部６０が軸方向に圧縮された状態で、環状カバー３４の軸方向の一端部６２の端面が、雌体３２の周方向に形成された凸部３２Ｂの側面に圧着されると共に、環状カバー３４の軸方向の他端部６４の端縁が雄体１２の周方向の突出部２４の側面に圧着されている。すなわち、環状カバー３４の一端部６２の端面が、雌体３２の凸部３２Ｂに圧着（密着）されることで、環状カバー３４の一端部６２と雌体３２の凸部３２Ｂとの間から砂ほこり等の異物が侵入することが抑制される。また、環状カバー３４の軸方向の他端部６４の端縁が雄体１２の突出部２４の側面に圧着（密着）されることで、環状カバー３４の軸方向の他端部６４と雄体１２の突出部２４との間から砂ほこり等の異物が侵入することが抑制される。このため、環状カバー３４の内周側と雌体３２の外周面及び解放リング５８との間に異物が侵入して詰まることが抑制され、異物により解放リング５８の奥側への移動が妨げられることが抑制される。
【００３６】
一方、雄体１２を雌体３２から分離する際には、図２−１に示されるように、環状カバー３４を把持して、スプリング５６の力に抗して環状カバー３４を雌体３２の軸方向奥側（矢印Ａ方向）に押し込む。すると、環状カバー３４の変形部６０が軸方向に圧縮され、環状カバー３４の突部６４Ａが解放リング５８を軸方向奥側に押すことで、解放リング５８の奥側端部が弾性係止リング体５４を環状溝５２の大径溝５２Ｂに押し込み、弾性係止リング体５４の小径溝５２Ａへの係止が外れる。この状態で、雄体１２を雌体３２から引き抜くことができる。
【００３７】
このような管継手１０では、雄体１２と雌体３２との結合時に、環状カバー３４の軸方向の一端部６２の端面が、雌体３２の周方向に形成された凸部３２Ｂの側面に圧着されると共に、環状カバー３４の軸方向の他端部６４の端縁が雄体１２の周方向の突出部２４の側面に圧着されている。このため、環状カバー３４の内周面と雌体３２の外周面及び解放リング５８との間に異物が侵入して詰まることが抑制され、解放リング５８の奥側への移動を妨げることを抑制することができる。このため、雄体１２が管継手１０から脱離できなくなることを阻止することができる。
【００３８】
図５に示されるように、比較例に係る管継手１００では、第１実施形態の環状カバー３４に代えて、環状カバー１０４を備えている。環状カバー１０４の軸方向の一端部１０６には、半径方向内側の突出する突起部１０６Ａが形成されている。環状カバー１０４には、軸方向の中間部に第１実施形態のような変形部は設けられていない。また、雌体１０２の突起部１０６Ａと対向する軸方向先端部側（開口部３６側）の位置には、半径方向外側に突出する段部１０２Ａが形成されている。この管継手１００では、突起部１０６Ａが段部１０２Ａに当接することで、環状カバー１０４の雌体１０２からの抜け止めとなっている。
【００３９】
このような管継手１００では、雌体１０２と雄体１２との結合時に、スプリング５６は圧縮されておらず、環状カバー１０４の軸方向の他端部６４の端面が雄体１２の突出部２４の側面に当たっていない。また、環状カバー１０４の軸方向の一端部１０６と雌体１０２の外周面との間には隙間Ｓ１が形成されている。
【００４０】
このため、図６に示されるように、環状カバー１０４の軸方向の一端部１０６と雌体１０２の外周面との隙間Ｓ１から砂ほこり等の異物が侵入し、環状カバー１０４の内周面と雌体１０２の外周面及び解放リング５８との間の空間Ｓ２（図６中のドット部分）に砂ほこり等の異物が侵入して詰まる可能性がある。特に、環状カバー１０４の軸方向の一端部１０６と雌体１０２の外周面との隙間Ｓ１を上方側に向けるように管継手１００を取り付けた場合に、隙間Ｓ１から砂ほこり等の異物が侵入しやすい。また、環状カバー１０４の軸方向の他端部６４の内周面と雄体１２の外周面との間からも砂ほこり等の異物が侵入する可能性がある。
【００４１】
環状カバー１０４の内周面と雌体１０２の外周面及び解放リング５８との間の空間Ｓ２に砂ほこり等の異物が詰まると、環状カバー１０４を雌体３２の軸方向奥側（矢印Ａ方向）に押し込もうとしても、解放リング５８の軸方向奥側の移動が妨げられる可能性がある。このため、雄体１２を管継手１００から脱離できなくなる可能性がある。
【００４２】
これに対して、図１に示す本実施形態の管継手１０では、環状カバー３４の内周面と雌体３２の外周面及び解放リング５８との間に異物が侵入することが抑制され、解放リング５８の奥側への移動が妨げられることを抑制できる。
【００４３】
次に、図３及び図４を用いて、本発明の第２実施形態の管継手について説明する。なお、第１実施形態と同一の部材には同一の符号を付し、重複した説明は省略する。
【００４４】
図３に示されるように、管継手８０では、環状カバー８４の軸方向の一端部８６に半径方向内側の突出するように形成された係合部８６Ａを備えている。係合部８６Ａは、環状カバー８４の内周面に周方向に沿って形成されている。また、雌体８２の外周面には、半径方向内側に窪み、かつ係合部８６Ａが係合される被係合部としての窪み部８２Ａが形成されている。窪み部８２Ａは、雌体８２の外周面に周方向に沿って形成されている。
【００４５】
環状カバー８４の係合部８６Ａが雌体８２の窪み部８２Ａに係合されることで、環状カバー８４の軸方向の一端部８６が雌体８２から外れることが防止又は抑制されるようになっている。環状カバー８４の軸方向の中間部には、軸方向に沿って伸縮可能な蛇腹状の変形部９０が形成されている。本実施形態の管継手８０では、第１実施形態の管継手１０の変形部６０に比べて、環状カバー８４の蛇腹状の変形部９０に十分なばね性が無い。
【００４６】
このような管継手８０では、雄体１２と雌体８２との結合時には、スプリング５６が若干圧縮され、環状カバー８４の軸方向の一端部８６に形成された係合部８６Ａが雌体８２の窪み部８２Ａに係合される（係合部８６Ａが窪み部８２Ａに引っ掛かる）と共に、環状カバー８４の軸方向の他端部６４の端縁が雄体１２の周方向の突出部２４の側面に圧着されている。
【００４７】
すなわち、環状カバー８４の係合部８６Ａと雌体３２の窪み部８２Ａとが密着されているため、これらの間から砂ほこり等の異物が侵入することが抑制される。また、環状カバー８４の軸方向の他端部６４の端縁が突出部２４に圧着（密着）されているため、これらの間から砂ほこり等の異物が侵入することが抑制される。このため、環状カバー８４の内周側と雌体３２の外周面及び解放リング５８との間に砂ほこり等の異物が詰まることが抑制され、異物により解放リング５８の奥側への移動が妨げられることが抑制される。
【００４８】
一方、雄体１２を雌体８２から分離する際には、図４に示されるように、環状カバー８４を把持して、スプリング５６の力に抗して環状カバー８４を雌体８２の軸方向奥側（矢印Ａ方向）に押し込む。すると、環状カバー８４の変形部９０が軸方向に圧縮され、環状カバー８４の突部６４Ａが解放リング５８を軸方向奥側に押す。これにより、解放リング５８の奥側端部が弾性係止リング体５４を環状溝５２の大径溝５２Ｂに押し込み、弾性係止リング体５４の小径溝５２Ａへの係止が外れる。この状態で、雄体１２を雌体３２から引き抜くことができる。
【００４９】
なお、上述した第１実施形態において、雌体３２の軸方向の他端部６４の形状と、雄体１２の突出部２４の形状は、本発明を逸脱しない範囲で変更可能である。
【００５０】
また、上述した第２実施形態は、係合部８６Ａと窪み部８２Ａの形状は、係合部８６Ａと窪み部８２Ａとを周方向に沿って密着させる構成であれば、本発明を逸脱しない範囲で変更が可能である。例えば、係合部８６Ａが被係合部としての凹部に嵌まり込む構成としてもよい。
【符号の説明】
【００５１】
１０   管継手
１２   雄体
２０   凹部
２４   突出部
３２   雌体
３２Ｂ 凸部
３４   環状カバー（カバー部材）
３６   開口部
５２   環状溝
５２Ａ 小径溝（溝部）
５２Ｂ 大径溝
５４   弾性係止リング体（止め輪）
５６   スプリング（付勢部材）
５８   解放リング（取り外し部材）
６０   変形部
６２   一端部
６４   他端部
６４Ａ 突部
８０   管継手
８２   雌体
８２Ａ 窪み部（被係合部）
８４   環状カバー（カバー部材）
８６   一端部
８６Ａ 係合部
９０   変形部
【図１】
2014159860.tif 000003
【図２−１】
2014159860.tif 000004
【図２−２】
2014159860.tif 000005
【図３】
2014159860.tif 000006
【図４】
2014159860.tif 000007
【図５】
2014159860.tif 000008
【図６】
2014159860.tif 000009